(57)【要約】【課題】通信機能による消費電力を抑制しつつも、ユーザにとって操作性が高く扱いやすい近距離無線通信装置および移動無線端末装置を提供する。【解決手段】エコ楽モードの場合は、いったんユーザの指示（エコ楽モードＯＮ）があると、制御チップ６１５および電源コントローラ６２１のＧＰＩＯが動作するに過ぎない状態となり、制御チップ６１５が、フォトディテクタ６１１が受光した赤外線信号を監視し、パルスの立ち上がりにより赤外線信号を検出した場合には、この旨を電源コントローラ６２１に通知して、ＩｒＤＡ信号変換部６１４やホストモジュール６２２を起動して、赤外線通信を行うようにしたものである。【選択図】      図２
2011217341.tif 000002
【特許請求の範囲】
【請求項１】
無線信号を電気信号に変換する信号受信手段と、
この信号受信手段が出力する信号から情報を取得する情報取得手段と、
前記信号受信手段が出力する電気信号の電圧レベルが予め設定した閾値以上に変化した場合に、前記情報取得手段に動作電力を供給する動作電力供給手段とを具備したことを特徴とする近距離無線通信装置。
【請求項２】
無線信号を電気信号に変換する信号受信手段と、
この信号受信手段が出力する信号から情報を取得する情報取得手段と、
前記信号受信手段が出力する電気信号の電圧レベルが予め設定した閾値以上に変化し、さらに、閾値未満に変化した場合に、前記情報取得手段に動作電力を供給する動作電力供給手段とを具備したことを特徴とする近距離無線通信装置。
【請求項３】
無線信号を電気信号に変換する信号受信手段と、
この信号受信手段が出力する信号から情報を取得する情報取得手段と、
前記信号受信手段が出力する電気信号の電圧レベルが予め設定した閾値以上に変化し、さらに閾値未満に変化することを繰り返した場合に、前記情報取得手段に動作電力を供給する動作電力供給手段とを具備したことを特徴とする近距離無線通信装置。
【請求項４】
前記動作電力供給手段は、
前記信号受信手段が出力する電気信号の電圧レベルを検出する電圧検出手段と、
この電圧検出手段の検出結果に応じて、前記情報取得手段に動作電力を供給する電力供給手段とを備えることを特徴とする請求項１乃至請求項３のいずれかに記載の近距離無線通信装置。
【請求項５】
前記電力供給手段は、前記情報取得手段に動作電力を供給する場合に、前記電圧検出手段への電力供給を停止することを特徴とする請求項４に記載の近距離無線通信装置。
【請求項６】
前記電力供給手段は、
前記情報取得手段に動作電力を供給する供給手段と、
前記電圧検出手段の検出結果に応じて、前記供給手段を動作させる制御手段とを備えることを特徴とする請求項４に記載の近距離無線通信装置。
【請求項７】
前記電圧検出手段は、前記信号受信手段が出力する電気信号の電圧レベルに応じて、前記信号受信手段が出力する電気信号を前記情報取得手段に入力することを特徴とする請求項４に記載の近距離無線通信装置。
【請求項８】
前記信号受信手段は、赤外線信号を電気信号に変換するものであって、
さらに、
光エネルギーを電気エネルギーに変換する発電手段を備え、
前記動作電力供給手段は、前記発電手段で発電を行う場合に、前記情報取得手段への動作電力の供給を停止することを特徴とする請求項１乃至請求項７のいずれかに記載の近距離無線通信装置。
【請求項９】
前記信号受信手段は、赤外線信号を電気信号に変換するものであって、
さらに、
光エネルギーを電気エネルギーに変換する発電手段と、
前記発電手段が発電する電力レベルを検出する発電レベル検出手段とを備え、
前記動作電力供給手段は、前記発電レベル検出手段が検出した電力レベルが予め設定した閾値以上の場合に、前記情報取得手段への電力供給を停止することを特徴とする請求項１乃至請求項７のいずれかに記載の近距離無線通信装置。
【請求項１０】
無線信号を電気信号に変換する信号受信手段と、
この信号受信手段が出力する信号から情報を取得する情報取得手段と、
前記信号受信手段が出力する電気信号の電圧レベルが予め設定した閾値以上に変化した場合に、前記情報取得手段の動作をオンにする動作制御手段とを具備したことを特徴とする近距離無線通信装置。
【請求項１１】
無線信号を電気信号に変換する信号受信手段と、
この信号受信手段が出力する信号から情報を取得する情報取得手段と、
前記信号受信手段が出力する電気信号の電圧レベルが予め設定した閾値以上に変化し、さらに、閾値未満に変化した場合に、前記情報取得手段の動作をオンにする動作制御手段とを具備したことを特徴とする近距離無線通信装置。
【請求項１２】
無線信号を電気信号に変換する信号受信手段と、
この信号受信手段が出力する信号から情報を取得する情報取得手段と、
前記信号受信手段が出力する電気信号の電圧レベルが予め設定した閾値以上に変化し、さらに閾値未満に変化することを繰り返した場合に、前記情報取得手段の動作をオンにする動作制御手段とを具備したことを特徴とする近距離無線通信装置。
【請求項１３】
前記動作制御手段は、
前記信号受信手段が出力する電気信号の電圧レベルを検出する電圧検出手段と、
この電圧検出手段の検出結果に応じて、前記情報取得手段の動作をオンにする制御手段とを備えることを特徴とする請求項１０乃至請求項１２のいずれかに記載の近距離無線通信装置。
【請求項１４】
前記制御手段は、前記情報取得手段の動作をオンにする場合に、前記電圧検出手段の動作をオフにすることを特徴とする請求項１３に記載の近距離無線通信装置。
【請求項１５】
前記制御手段は、
前記情報取得手段の動作をオンにするオン手段と、
前記監視手段の検出結果に応じて、前記オン手段を動作させるオン制御手段とを備えることを特徴とする請求項１３に記載の近距離無線通信装置。
【請求項１６】
前記電圧検出手段は、前記信号受信手段が出力する電気信号の電圧レベルに応じて、前記信号受信手段が出力する電気信号を前記情報取得手段に入力することを特徴とする請求項１３に記載の近距離無線通信装置。
【請求項１７】
前記信号受信手段は、赤外線信号を電気信号に変換するものであって、
さらに、
光エネルギーを電気エネルギーに変換する発電手段を備え、
前記動作電力供給手段は、前記発電手段で発電を行う場合に、前記情報取得手段の動作をオフにすることを特徴とする請求項１０乃至請求項１６のいずれかに記載の近距離無線通信装置。
【請求項１８】
前記信号受信手段は、赤外線信号を電気信号に変換するものであって、
さらに、
光エネルギーを電気エネルギーに変換する発電手段と、
前記発電手段が発電する電力レベルを検出する発電レベル検出手段とを備え、
前記動作電力供給手段は、前記発電レベル検出手段が検出した電力レベルが予め設定した閾値以上の場合に、前記情報取得手段の動作をオフにすることを特徴とする請求項１０乃至請求項１６のいずれかに記載の近距離無線通信装置。
【請求項１９】
ネットワークに収容される基地局と無線通信する移動無線端末装置において、
無線信号を電気信号に変換する信号受信手段と、
この信号受信手段が出力する信号から情報を取得する情報取得手段と、
前記信号受信手段が出力する電気信号の電圧レベルが予め設定した閾値以上に変化した場合に、前記情報取得手段に動作電力を供給する動作電力供給手段とを具備したことを特徴とする移動無線端末装置。
【請求項２０】
ネットワークに収容される基地局と無線通信する移動無線端末装置において、
無線信号を電気信号に変換する信号受信手段と、
この信号受信手段が出力する信号から情報を取得する情報取得手段と、
前記信号受信手段が出力する電気信号の電圧レベルが予め設定した閾値以上に変化し、さらに、閾値未満に変化した場合に、前記情報取得手段に動作電力を供給する動作電力供給手段とを具備したことを特徴とする移動無線端末装置。
【請求項２１】
ネットワークに収容される基地局と無線通信する移動無線端末装置において、
無線信号を電気信号に変換する信号受信手段と、
この信号受信手段が出力する信号から情報を取得する情報取得手段と、
前記信号受信手段が出力する電気信号の電圧レベルが予め設定した閾値以上に変化し、さらに閾値未満に変化することを繰り返した場合に、前記情報取得手段に動作電力を供給する動作電力供給手段とを具備したことを特徴とする移動無線端末装置。
【請求項２２】
前記信号受信手段は、赤外線信号を電気信号に変換するものであって、
さらに、
光エネルギーを電気エネルギーに変換する発電手段を備え、
前記動作電力供給手段は、前記発電手段で発電を行う場合に、前記情報取得手段への動作電力の供給を停止することを特徴とする請求項１９乃至請求項２１のいずれかに記載の移動無線端末装置。
【請求項２３】
前記信号受信手段は、赤外線信号を電気信号に変換するものであって、
さらに、
光エネルギーを電気エネルギーに変換する発電手段と、
前記発電手段が発電する電力レベルを検出する発電レベル検出手段とを備え、
前記動作電力供給手段は、前記発電レベル検出手段が検出した電力レベルが予め設定した閾値以上の場合に、前記情報取得手段への電力供給を停止することを特徴とする請求項１９乃至請求項２１のいずれかに記載の移動無線端末装置。
【請求項２４】
ネットワークに収容される基地局と無線通信する移動無線端末装置において、
無線信号を電気信号に変換する信号受信手段と、
この信号受信手段が出力する信号から情報を取得する情報取得手段と、
前記信号受信手段が出力する電気信号の電圧レベルが予め設定した閾値以上に変化した場合に、前記情報取得手段の動作をオンにする動作制御手段とを具備したことを特徴とする移動無線端末装置。
【請求項２５】
ネットワークに収容される基地局と無線通信する移動無線端末装置において、
無線信号を電気信号に変換する信号受信手段と、
この信号受信手段が出力する信号から情報を取得する情報取得手段と、
前記信号受信手段が出力する電気信号の電圧レベルが予め設定した閾値以上に変化し、さらに、閾値未満に変化した場合に、前記情報取得手段の動作をオンにする動作制御手段とを具備したことを特徴とする移動無線端末装置。
【請求項２６】
ネットワークに収容される基地局と無線通信する移動無線端末装置において、
無線信号を電気信号に変換する信号受信手段と、
この信号受信手段が出力する信号から情報を取得する情報取得手段と、
前記信号受信手段が出力する電気信号の電圧レベルが予め設定した閾値以上に変化し、さらに閾値未満に変化することを繰り返した場合に、前記情報取得手段の動作をオンにする動作制御手段とを具備したことを特徴とする移動無線端末装置。
【請求項２７】
前記信号受信手段は、赤外線信号を電気信号に変換するものであって、
さらに、
光エネルギーを電気エネルギーに変換する発電手段を備え、
前記動作電力供給手段は、前記発電手段で発電を行う場合に、前記情報取得手段の動作をオフにすることを特徴とする請求項２４乃至請求項２６のいずれかに記載の移動無線端末装置。
【請求項２８】
前記信号受信手段は、赤外線信号を電気信号に変換するものであって、
さらに、
光エネルギーを電気エネルギーに変換する発電手段と、
前記発電手段が発電する電力レベルを検出する発電レベル検出手段とを備え、
前記動作電力供給手段は、前記発電レベル検出手段が検出した電力レベルが予め設定した閾値以上の場合に、前記情報取得手段の動作をオフにすることを特徴とする請求項２４乃至請求項２６のいずれかに記載の移動無線端末装置。
【請求項２９】
無線信号を電気信号に変換する信号受信手段と、
この信号受信手段が出力する信号から情報を取得する情報取得手段と、
前記信号受信手段が出力する電気信号に応じて、前記情報取得手段に動作電力を供給する動作電力供給手段とを具備したことを特徴とする近距離無線通信装置。
【請求項３０】
前記動作電力供給手段は、
前記信号受信手段が出力する電気信号を監視する監視手段と、
この監視手段の監視結果に応じて、前記情報取得手段に動作電力を供給する電力供給手段とを備えることを特徴とする請求項２９に記載の近距離無線通信装置。
【請求項３１】
前記電力供給手段は、前記情報取得手段に動作電力を供給する場合に、前記監視手段への電力供給を停止することを特徴とする請求項３０に記載の近距離無線通信装置。
【請求項３２】
前記電力供給手段は、
前記情報取得手段に動作電力を供給する供給手段と、
前記監視手段の監視結果に応じて、前記供給手段を動作させる制御手段とを備えることを特徴とする請求項３０に記載の近距離無線通信装置。
【請求項３３】
前記監視手段は、前記信号受信手段が出力する電気信号の監視結果に応じて、前記信号受信手段が出力する電気信号を前記情報取得手段に入力することを特徴とする請求項３０に記載の近距離無線通信装置。
【請求項３４】
無線信号を電気信号に変換する信号受信手段と、
この信号受信手段が出力する信号から情報を取得する情報取得手段と、
前記信号受信手段が出力する電気信号に応じて、前記情報取得手段の動作をオンにする動作制御手段とを具備したことを特徴とする近距離無線通信装置。
【請求項３５】
前記動作制御手段は、
前記信号受信手段が出力する電気信号を監視する監視手段と、
この監視手段の監視結果に応じて、前記情報取得手段の動作をオンにする制御手段とを備えることを特徴とする請求項３４に記載の近距離無線通信装置。
【請求項３６】
前記制御手段は、前記情報取得手段の動作をオンにする場合に、前記監視手段の動作をオフにすることを特徴とする請求項３５に記載の近距離無線通信装置。
【請求項３７】
前記制御手段は、
前記情報取得手段の動作をオンにするオン手段と、
前記監視手段の監視結果に応じて、前記オン手段を動作させるオン制御手段とを備えることを特徴とする請求項３５に記載の近距離無線通信装置。
【請求項３８】
前記監視手段は、前記信号受信手段が出力する電気信号の監視結果に応じて、前記信号受信手段が出力する電気信号を前記情報取得手段に入力することを特徴とする請求項３５に記載の近距離無線通信装置。
【請求項３９】
ネットワークに収容される基地局と無線通信する移動無線端末装置において、
無線信号を電気信号に変換する信号受信手段と、
この信号受信手段が出力する信号から情報を取得する情報取得手段と、
前記信号受信手段が出力する電気信号に応じて、前記情報取得手段に動作電力を供給する動作電力供給手段とを具備したことを特徴とする移動無線端末装置。
【請求項４０】
ネットワークに収容される基地局と無線通信する移動無線端末装置において、
無線信号を電気信号に変換する信号受信手段と、
この信号受信手段が出力する信号から情報を取得する情報取得手段と、
前記信号受信手段が出力する電気信号に応じて、前記情報取得手段の動作をオンにする動作制御手段とを具備したことを特徴とする移動無線端末装置。
【発明の詳細な説明】
【技術分野】
【０００１】
この発明は、赤外線などを用いて通信を行う近距離無線通信装置に関する。
【背景技術】
【０００２】
周知のように、携帯電話機やディジタルカメラ、PDA(Personal Digital Assistants)など、バッテリ駆動する電子機器において、赤外線を用いて近距離無線通信を行う機能を備えるものがある（例えば、特許文献１参照）。
【０００３】
また上述した携帯型の電子機器は、バッテリ駆動するものであるため、消費電力を抑制することが重要な課題となる。そこで、赤外線通信機能においても、ユーザなどから赤外線通信を行う旨の指示が与えられるまで、赤外線通信部への電力供給は停止され、節電を行っていた。
【０００４】
しかしながら、このような従来の近距離無線通信装置では、ユーザがユーザインタフェースを通じて、近距離無線通信機能をオンにするなど、複数回のキー操作などが必要であり、ユーザにとって利便性が低く、特に電子機器の操作に不慣れな高齢者などにとっては、不便であるという問題があった。
【０００５】
また近時、電子機器に太陽光発電パネルを搭載し、これによりバッテリを充電するものもある。
【先行技術文献】
【特許文献】
【０００６】
【特許文献１】特開２００９−０８９４３４号公報
【発明の概要】
【発明が解決しようとする課題】
【０００７】
従来の近距離無線通信装置では、通信機能を利用する場合、ユーザがユーザインタフェースを通じて、通信機能をオンにするなど、複数回のキー操作などが必要であり、ユーザにとって利便性が低く、特に電子機器の操作に不慣れな高齢者などにとっては、特に不便であるという問題があった。
【０００８】
この発明は上記の問題を解決すべくなされたもので、通信機能による消費電力を抑制しつつも、ユーザにとって操作性が高く扱いやすい近距離無線通信装置および移動無線端末装置を提供することを目的とする。
【課題を解決するための手段】
【０００９】
上記の目的を達成するために、この発明は、無線信号を電気信号に変換する信号受信手段と、この信号受信手段が出力する信号から情報を取得する情報取得手段と、信号受信手段が出力する電気信号の電圧レベルが予め設定した閾値以上に変化した場合に、情報取得手段に動作電力を供給する動作電力供給手段とを具備して構成するようにした。
【発明の効果】
【００１０】
以上述べたように、この発明では、無線信号を受信して得た受信信号の電圧レベルが所定の条件を満たす場合に限って、受信信号から情報を取得する手段を動作させるようにしている。  
したがって、この発明によれば、無線信号を受信するまでの、通信機能による待機電力を抑制することができ、またユーザにとって操作性が高く扱いやすい近距離無線通信装置および移動無線端末装置を提供できる。
【図面の簡単な説明】
【００１１】
【図１】この発明に係わる赤外線通信部を備える携帯電話機の実施形態の構成を示す回路ブロック図。
【図２】図１に示した赤外線通信部の構成を示す回路ブロック図。
【図３】図１に示した赤外線通信部の起動設定を行う際のメニュー表示の一例を示す図。
【図４】図１に示した太陽光発電部の構成を示す回路ブロック図。
【図５】図１に示した赤外線通信部の通常モードにおける動作を説明するためのフローチャート。
【図６】図１に示した赤外線通信部のエコ楽モードにおける動作を説明するためのフローチャート。
【図７】ＩｒＤＡ通信規格の転送レートと送信期間の対応を説明するための図。
【図８】RZI変調における送信データのパルスを説明するための図。
【図９】SIRモードにおけるフレームフォーマットを説明するための図。
【図１０】図２に示した制御チップの接続要求の判定方法を説明するための図。
【図１１】図１に示した電源コントローラの動作を説明するためのフローチャート。
【発明を実施するための形態】
【００１２】
以下、図面を参照して、この発明の一実施形態について説明する。  
この発明の一実施形態に係わる近距離無線通信装置は、例えば、携帯電話機やディジタルカメラ、PDA(Personal Digital Assistants)など、バッテリ駆動する電子機器に設けられるものであって、赤外線通信機能と、太陽光などの入射光によって発電を行う光発電パネルを搭載する。以下の説明では、電子機器の一例として、携帯電話機を例に挙げて説明する。
【００１３】
図１は、この発明の一実施形態に係わる赤外線通信装置を備えた携帯電話機の構成を示すブロック図である。この携帯電話機は、図１に示すように、主な構成要素として、主制御部１００と、無線通信部１０と、表示部２０と、通話部３０と、操作部４０と、記憶部５０と、赤外線通信部６０と、太陽光発電部７０とを備え、基地局装置ＢＳおよび移動通信網ＮＷを介した通信と、赤外線通信機能を有する対向機器と赤外線通信を行う機能を備える。
【００１４】
無線通信部１０は、主制御部１００の指示にしたがって、移動通信網ＮＷに収容された基地局装置ＢＳと無線通信を行うものであって、これにより、音声データや電子メールデータなどの送受信、Ｗｅｂデータやストリーミングデータなどの受信を行う。  
表示部２０は、主制御部１００の制御により、画像（静止画像および動画像）や文字情報などを表示して、視覚的にユーザに情報を伝達するものであり、当該携帯電話機の設定状態を示す情報なども表示する。
【００１５】
通話部３０は、スピーカ３１やマイクロホン３２を備え、マイクロホン３２を通じて入力されたユーザの音声を主制御部１００にて処理可能な音声データに変換して主制御部１００に出力したり、無線通信部１０あるいは赤外線通信部６０により受信された音声データを復号してスピーカ３１から出力するものである。  
操作部４０は、複数のキースイッチなどを備え、これを通じてユーザから指示を受け付けるものである。
【００１６】
記憶部５０は、主制御部１００の制御プログラムや制御データ、アプリケーションソフトウェア、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。なお、記憶部５０は、ＨＤＤ、ＲＡＭ、ＲＯＭ、ＩＣメモリなどの１つまたは複数の記憶手段を含むものである。
【００１７】
赤外線通信部６０は、赤外線通信機能を有する対向機器（例えば、他の携帯電話機ＭＳ）と赤外線通信を行うものであって、主制御部１００によって動作設定がなされ、主制御部１００から与えられる送信データを赤外線光で送信したり、対向機器から赤外線光で送信されるデータを受信し、これを受信データとして主制御部１００に出力する。詳細については後述する。
【００１８】
太陽光発電部７０は、シリコン系、化合物系、有機系、量子ドット型などの太陽電池モジュールと、これを用いた光起電力効果によって発電された電力を整流し、バッテリを充電する電源回路とを備える。詳細については、後述する。
【００１９】
主制御部１００は、マイクロプロセッサを備え、記憶部５０が記憶する制御プログラムにしたがって動作し、当該携帯電話機の各部を統括して制御するものであって、無線通信部１０を通じて、音声通信やデータ通信を行うために、通信系の各部を制御するネットワーク通信制御機能と、アプリケーション処理機能と、太陽光発電制御機能とを備える。
【００２０】
アプリケーション処理機能は、記憶部５０が記憶するアプリケーションソフトウェアにしたがって主制御部１００が動作することにより、例えば、赤外線通信部６０を制御して対向機器とデータ通信を行ったり、電子メールの送受信や、Ｗｅｂブラウジングなどを行う。
【００２１】
太陽光発電制御機能は、太陽光発電部７０によって発電される電力により、駆動用のバッテリを充電する制御を行うものであり、バッテリの出力電圧や温度を検出し、これに応じてバッテリに対して間欠的に充電を行うことで、バッテリに対する過充電を防止する。
【００２２】
また、主制御部１００は、受信データやダウンロードしたストリーミングデータなどの画像データ（静止画像や動画像のデータ）に基づいて、映像を表示部２０に表示したりする画像処理機能を備える。この画像処理機能は、主制御部１００が、上記画像データを復号し、この復号結果に画像処理を施して、画像を表示部２０に表示する。なお、赤外線通信部６０により送受信されるデータは、画像データに限らず、アドレスデータや、テキストデータなど種々の形式のデータを送受信可能である。
【００２３】
図２に赤外線通信部６０の詳細な構成を示す。この図に示すように、赤外線通信部６０は、赤外線入出力部６１０と制御部６２０とを備える。そして、赤外線入出力部６１０は、フォトディテクタ（ＰＤ（Ｒｘ））６１１と、フォトディテクタ（ＰＤ（Ｔｘ））６１２と、切替スイッチ（ＳＷ）６１３と、ＩｒＤＡ信号変換部６１４と、制御チップ６１５とを備える。また、制御部６２０は、電源コントローラ６２１と、ホストモジュール（ＨＯＳＴ）６２２とを備える。
【００２４】
フォトディテクタ６１１は、外界からの入射光を受光する受光素子であって、特に赤外線を検出し、その強度に応じた電流値を電圧に変換し検出信号を出力する。すなわち外界から受光した赤外線信号を電気信号に変換する。
【００２５】
フォトディテクタ６１２は、後述するＩｒＤＡ信号変換部６１４から与えられた送信信号に応じた赤外線光を発光する発光素子である。すなわち、電気信号を赤外線信号に変換して、外界に出力する。
【００２６】
切替スイッチ６１３は、後述する制御チップ６１５から与えられる指示によって切替制御され、フォトディテクタ６１１から与えられる検出信号を選択的にＩｒＤＡ信号変換部６１４か、あるいは制御チップ６１５に出力する。
【００２７】
ＩｒＤＡ信号変換部６１４は、切替スイッチ６１３を介してフォトディテクタ６１１から入力される検出信号を増幅し、コンパレータによりH/Lのデジタルデータに変換し、ホストが理解できるH/L信号長に復号し、これによって得た受信データをホストモジュール６２２に出力する。
【００２８】
また、ＩｒＤＡ信号変換部６１４は、ホストモジュール６２２から与えられる送信データを符号化して送信信号を生成し、この送信信号をフォトディテクタ６１２に出力する。なお、ＩｒＤＡ信号変換部６１４は、後述する電源コントローラ６２１から動作電力が供給される。ここで、上述のＩｒＤＡ信号変換部の変復調処理に関しては、後述のホストモジュール(Host)にその機能が実装されていてもよい。
【００２９】
制御チップ６１５は、フォトディテクタ６１１に赤外線信号の入力があったことを検出する機能と、切替スイッチ６１３を切替制御する機能を備える。そして、制御チップ６１５は、電力が供給されない状態、すなわち、制御チップ６１５がＯＦＦ状態の場合には、フォトディテクタ６１１から切替スイッチ６１３に入力される検出信号をＩｒＤＡ信号変換部６１４に出力するように切替スイッチ６１３を設定し、一方、電力が供給される状態、すなわち、制御チップ６１５がＯＮ状態の場合には、フォトディテクタ６１１から出力される検出信号を監視し、予め設定された閾値以上の信号強度を有する検出信号が与えられると、この旨を電源コントローラ６２１に通知する。
【００３０】
なお、このような制御を行うために、制御チップ６１５は、ＧＰＩＯ（General Purpose I/O）のような、シリアル／パラレルのデジタル信号にて制御部６２０と通信を可能とするインタフェースを備える。制御チップ６１５は、上述のように、検出信号の監視／検出、およびそれに伴う信号の出力を行うものに過ぎず、コンパレータで実現できるため、消費電流は数〜数十μA程度であり、ホストモジュール６２２が動作状態にある制御部６２０の消費電流（数十mA）に比べて、極めて低い。ここで、図２に関しては、制御チップ６１５には、フォトディテクタ６１１からの信号入力レベルをコンパレータの閾値より大きく増幅するための信号増幅アンプを含む構成となっているが、当然、ＩｒＤＡ信号変換部６１４に含まれる信号増幅アンプを供用できる構成としてもよい。
【００３１】
電源コントローラ６２１は、主制御部１００から設定される動作モードに応じて動作し、携帯電話機に搭載されるバッテリに蓄えられた電力を、当該赤外線通信部６０の各部に選択的に供給する電力供給部を備える。上記動作モードには、通常モードと、エコ楽モードがある。また電源コントローラ６２１は、ＧＰＩＯ（General Purpose I/O）インタフェースを備えており、エコ楽モードの場合には、上記電力供給部を一時的に停止させ、ＧＰＩＯインタフェースのみを動作させて、動作電力を抑制できる。
【００３２】
また電源コントローラ６２１は、後述する太陽光発電部７０から通知される発電量Ｐと動作モードに応じて、ＩｒＤＡ信号変換部６１４や、制御チップ６１５の動作を制御する赤外線入出力部制御機能を備える。
【００３３】
動作モードの設定は、主制御部１００がユーザから受け付ける。主制御部１００は、表示部２０に、図３に示すような起動設定メニューを表示部２０に表示し、操作部４０を通じたユーザ操作により、いずれかの動作モードの開始（ＯＮ）または終了（ＯＦＦ）を受け付ける。主制御部１００は、ユーザから受け付けた指示を、電源コントローラ６２１に通知し、電源コントローラ６２１は、通知に応じて、各部の電源をＯＮまたはＯＦＦに設定する。動作の詳細については後述する。
【００３４】
ホストモジュール６２２は、ＩｒＤＡプロトコルにしたがい、ＩｒＤＡ信号変換部６１４を通じて、赤外線信号を利用したデータの送受信を制御するものであり、IrDA通信に係る通信プロトコル制御に加え、主制御部１００から与えられた送信データをＩｒＤＡ信号変換部６１４に与え、またＩｒＤＡ信号変換部６１４から出力される受信データを主制御部１００に出力する。
【００３５】
ところで、このように、光発電パネルを備えた電子機器は、積極的に太陽光が照射される場所に放置される頻度が多くなるが、赤外線通信部の受光部に太陽光が入射すると、フォトディテクタ（ＰＤ（Ｒｘ））６１１において電力を消費することが確認されている。
【００３６】
太陽光発電部７０は、図４に示すように、太陽電池モジュール７１と、充電回路７２と、発電量検出部７３とを備える。  
太陽電池モジュール７１は、光起電力効果を利用して、光エネルギーを電力に変換するものであって、例えばシリコン系、化合物系、有機系、量子ドット型などの太陽電池パネルを複数枚直列または／および並列に配列したものである。なお、太陽電池モジュール７１は、例えば太陽電池（セル）に太陽光などの光が入射することによって発電されるように、当該携帯電話機の外装に設けられる。
【００３７】
充電回路７２は、主制御部１００からの指示に従って、バッテリ８０の出力電圧や温度を検出し、太陽電池モジュール７１によって得られた電力を整流して、これをバッテリ８０に対して間欠的に与えることで、バッテリ８０に対する過充電を防止しながら充電を行う。  
発電量検出部７３は、太陽電池モジュール７１によって発電された、単位時間あたりの発電量Ｐを検出し、これを電源コントローラ６２１に通知する。
【００３８】
次に、上記構成の携帯電話機の動作について説明する。以下の説明では特に、この発明に関わる赤外線通信部６０の動作について説明する。前述したように、赤外線通信部６０の動作モードには、通常モードと、エコ楽モードがあり、ユーザが操作部４０を通じて、いずれか一方を設定する。
【００３９】
まず、図５を参照して、通常モードがＯＮ設定された場合の動作について説明する。  
主制御部１００が図３に示した起動設定メニューを表示部２０に表示した状態で、ユーザが操作部４０を操作し、通常モードＯＮを選択すると、主制御部１００は、電源コントローラ６２１に対して、通常モードでの動作を要求する（シーケンスＳ４０１）。
【００４０】
これに対して電源コントローラ６２１は、要求されたモードが通常モードであることを検出し（シーケンスＳ４０２）、内蔵する電力供給部が動作して、ホストモジュール６２２に電力を供給（シーケンスＳ４０３）するとともに、ＩｒＤＡ信号変換部６１４に電力を供給（シーケンスＳ４０４）して、それぞれをＯＮにする。なお、制御チップ６１５には、電力は供給せず、ＯＦＦのままである（シーケンスＳ４０５）。それゆえに、切替スイッチ６１３は、フォトディテクタ６１１の出力をＩｒＤＡ信号変換部６１４に出力するように設定された状態にある。
【００４１】
やがて、対向機器ＭＳから当該携帯電話機と赤外線通信するための赤外線信号（接続要求、SNRMコマンド）が出力されると、これをフォトディテクタ６１１が受光し、光電変換により検出信号を生成し、これを切替スイッチ６１３を介してＩｒＤＡ信号変換部６１４に出力する（シーケンスＳ４０６）。なお、対向機器ＭＳは、当該携帯電話機から応答コマンド（UAコマンド）を受信するまで、SIRモード9.6kbpsにて、接続要求コマンド（SNRMコマンド）を所定の周期で、所定の回数だけ繰り返し送信する。
【００４２】
これに対してＩｒＤＡ信号変換部６１４は、上記検出信号を復号して、接続を要求する要求コマンド（SNRM(Set Normal Response Mode)コマンド）を得て、これをホストモジュール６２２に出力する（シーケンスＳ４０７）。上記要求コマンドが与えられたホストモジュール６２２は、このコマンドを解析して、capability情報などを参照し、SIR（転送レート：2.4-115.2kbps）、MIR（転送レート：0.576M-1.152Mbps）、FIR（転送レート：4Mbps）のいずれの通信モードの要求か判定し、このうち可能な最も速い通信速度もモードを選択する（シーケンスＳ４０８）。
【００４３】
そしてホストモジュール６２２は、IrLAP(Infrared Link Access Protocol)にしたがって、選択したモードで通信することを示す応答コマンド（UAコマンド）を生成し、ＩｒＤＡ信号変換部６１４に出力する（シーケンスＳ４０９）。これに対してＩｒＤＡ信号変換部６１４は、上記応答コマンドを符号化して送信信号を生成し、この送信信号をフォトディテクタ６１２に出力する（シーケンスＳ４１０）。送信信号が入力されたフォトディテクタ６１２は、上記送信信号に基づく赤外線信号を、対向機器ＭＳに向け外界に放射する。
【００４４】
その後、対向機器ＭＳとホストモジュール６２２との間で、IrLAPにしたがい赤外線通信リンクを確立し、このリンクを通じて赤外線通信を行って、双方向にデータの送受信を行う。対向機器ＭＳから得た受信データは、主制御部１００に出力され、例えば記憶部５０に記録され、一方、データ送信を行う場合には、主制御部１００が送信すべきデータを、例えば記憶部５０から読み出し、これを赤外線信号に変換して出力する。その後、データ通信が終了する場合、所定の手順にしたがって、ホストモジュール６２２は、対向機器との間の通信リンクを開放し（シーケンスＳ４１１）、データ通信が終了した旨を電源コントローラ６２１に通知する（シーケンスＳ４１２）。
【００４５】
電源コントローラ６２１は、ホストモジュール６２２から終了通知を受けると（シーケンスＳ４１３）、ホストモジュール６２２への電力供給を停止（シーケンスＳ４１４）するとともに、ＩｒＤＡ信号変換部６１４への電力供給を停止（シーケンスＳ４１５）して、それぞれをＯＦＦにする。なお、制御チップ６１５については、依然として電力は供給せず、ＯＦＦのままである（シーケンスＳ４１６）。
【００４６】
以上のように、上記構成の赤外線通信装置では、通常モードの場合は、ユーザの指示（通常モードＯＮ）があってから、通信が終了するまでの間だけ、ＩｒＤＡ信号変換部６１４、電源コントローラ６２１およびホストモジュール６２２に電力が供給されて動作することで、消費電力が抑制されるが、ユーザが図３に示すような、起動設定メニューを呼び出して設定を行う必要がある。
【００４７】
次に、図６を参照して、エコ楽モードがＯＮ設定された場合の動作について説明する。  主制御部１００が図３に示した起動設定メニューを表示部２０に表示した状態で、ユーザが操作部４０を操作し、エコ楽モードＯＮを選択すると、主制御部１００は、電源コントローラ６２１に対して、エコ楽モードでの動作を要求する（シーケンスＳ５０１）。
【００４８】
これに対して電源コントローラ６２１は、要求されたモードがエコ楽モードであることを検出し（シーケンスＳ５０２）、ホストモジュール６２２には電力を供給せず（シーケンスＳ５０３）、またＩｒＤＡ信号変換部６１４にも電力を供給せず（シーケンスＳ５０４）、ＯＦＦのままとする。一方、制御チップ６１５には、電力を供給し、ＯＮにする（シーケンスＳ５０５）。
【００４９】
これに伴い、切替スイッチ６１３は、制御チップ６１５により、フォトディテクタ６１１の出力を制御チップ６１５に出力するように設定される（シーケンスＳ５０６）。そして、電源コントローラ６２１は、内蔵するＧＰＩＯをＯＮにして、その他の機能はＯＦＦにして節電モードに移行し、上記ＧＰＩＯによって制御チップ６１５からの開始通知を監視する（シーケンスＳ５０７）。
【００５０】
この状態では、制御チップ６１５および電源コントローラ６２１のＧＰＩＯが動作するに過ぎないので、ＩｒＤＡ信号変換部６１４やホストモジュール６２２が動作する場合に比べて、消費電力が著しく低下しているが、制御チップ６１５によって、対向機器ＭＳからの接続要求の発生を監視する状態になる。
【００５１】
やがて、対向機器ＭＳから当該携帯電話機と赤外線通信するための赤外線信号（接続要求、SNRMコマンド）が出力されると、これをフォトディテクタ６１１が受光し、光電変換により検出信号を生成し、これを切替スイッチ６１３を介して制御チップ６１５に出力する（シーケンスＳ５０８）。なお、対向機器ＭＳは、当該携帯電話機から応答コマンド（UAコマンド）を受信するまで、SIRモード9.6kbpsにて、接続要求コマンド（SNRMコマンド）を所定の周期で、所定の回数だけ繰り返し送信する。
【００５２】
これに対して制御チップ６１５は、内蔵するＧＰＩＯが、予め設定した閾値以上の強度を有する検出信号が、切替スイッチ６１３を介してフォトディテクタ６１１から入力されると、対向機器ＭＳから接続要求が発生したものと見なして（シーケンスＳ５０９）、電源コントローラ６２１に対して、開始通知を行う（シーケンスＳ５１０）。なお、上記ＧＰＩＯ（制御チップ６１５）は、間欠的に動作させるようにしてもよい。シーケンスＳ５０９における接続要求の検出方法については、後に詳述する。
【００５３】
電源コントローラ６２１では、内蔵するＧＰＩＯが上記開始通知を検出すると（シーケンスＳ５１１）、電力供給部の動作を開始させる。これにより、ホストモジュール６２２に電力を供給（シーケンスＳ５１２）するとともに、ＩｒＤＡ信号変換部６１４に電力を供給（シーケンスＳ５１３）して、それぞれをＯＮにし、一方、制御チップ６１５に対しては、電力の供給を停止して、ＯＦＦにする（シーケンスＳ５１４）。これにより、切替スイッチ６１３は、フォトディテクタ６１１の出力をＩｒＤＡ信号変換部６１４に出力するように設定が復帰する（シーケンスＳ５１５）。
【００５４】
一方、対向機器ＭＳは、この時点においても、接続要求コマンド（SNRMコマンド）を所定の周期で、所定の回数だけ繰り返し送信している（シーケンスＳ５１６）。これをフォトディテクタ６１１が受光し、光電変換により検出信号を生成し、これを切替スイッチ６１３を介してＩｒＤＡ信号変換部６１４に出力する。
【００５５】
これに対してＩｒＤＡ信号変換部６１４は、上記検出信号を復号して、接続を要求する要求コマンド（SNRMコマンド）を得て、これをホストモジュール６２２に出力する（シーケンスＳ５１７）。上記要求コマンドが与えられたホストモジュール６２２は、このコマンドを解析して、capability情報などを参照し、SIR、MIR、FIRのいずれの通信モードの要求か判定し、このうち可能な最も速い通信速度もモードを選択する（シーケンスＳ５１８）。
【００５６】
そしてホストモジュール６２２は、IrLAP(Infrared Link Access Protocol)にしたがって、選択したモードで通信することを示す応答コマンド（UAコマンド）を生成し、ＩｒＤＡ信号変換部６１４に出力する（シーケンスＳ５１９）。これに対してＩｒＤＡ信号変換部６１４は、上記応答コマンドを符号化して送信信号を生成し、この送信信号をフォトディテクタ６１２に出力する（シーケンスＳ５２０）。送信信号が入力されたフォトディテクタ６１２は、上記送信信号に基づく赤外線信号を、対向機器ＭＳに向け外界に放射する。
【００５７】
その後、対向機器ＭＳとホストモジュール６２２との間で、IrLAPにしたがい赤外線通信リンクを確立し、このリンクを通じて赤外線通信を行って、双方向にデータの送受信を行う。対向機器ＭＳから得た受信データは、主制御部１００に出力され、例えば記憶部５０に記録され、一方、データ送信を行う場合には、主制御部１００が送信すべきデータを、例えば記憶部５０から読み出し、これを赤外線信号に変換して出力する。その後、データ通信が終了する場合、所定の手順にしたがって、ホストモジュール６２２は、対向機器との間の通信リンクを開放し（シーケンスＳ５２１）、データ通信が終了した旨を電源コントローラ６２１に通知する（シーケンスＳ５２２）。
【００５８】
電源コントローラ６２１は、ホストモジュール６２２から終了通知を受けると（シーケンスＳ５２３）、ホストモジュール６２２への電力供給を停止（シーケンスＳ５２４）するとともに、ＩｒＤＡ信号変換部６１４への電力供給を停止（シーケンスＳ５２５）して、それぞれをＯＦＦにする。また、制御チップ６１５に対して電源コントローラ６２１は、電力を供給し、ＯＮにする（シーケンスＳ５２６）。
【００５９】
これに伴い、切替スイッチ６１３は、制御チップ６１５により、フォトディテクタ６１１の出力を制御チップ６１５に出力するように設定される（シーケンスＳ５２７）。そして、電源コントローラ６２１は、内蔵するＧＰＩＯをＯＮにして、その他の機能はＯＦＦにして節電モードに移行し、上記ＧＰＩＯによって制御チップ６１５からの開始通知を監視する（シーケンスＳ５２８）。以後、シーケンスＳ５０８移行の処理が繰り返し実行される。
【００６０】
なお、エコ楽モードがＯＮの状態で、図３に示したエコ楽モードＯＦＦが選択された場合には、主制御部１００は、電源コントローラ６２１に対して通常モードへの移行を要求し、これにより、シーケンスＳ４０２からの処理が開始される。
【００６１】
次に、シーケンスＳ５０９における接続要求の検出方法について説明する。
【００６２】
ＩｒＤＡ通信規格では、図７に示すように、転送レートとPulse Duration（送信期間）が規定されている。このうち、シーケンスＳ５０８にて、対向機器ＭＳが送信する接続要求コマンド（SNRMコマンド）は、前述したようにSIRモード9.6kbpsであり、RZI変調が用いられ、図８に示すように、送信データが０の場合に、赤外線パルスを送信し、送信データが１の場合には、赤外線パルスの送信は行わない。SIRモード9.6kbpsの赤外線パルスの送信期間は、図８に示したように、ビット送信期間104usecにて、1.41-22.13(Typical:19.53)usecと定義されている。
【００６３】
またSIRモードにおけるフレームフォーマットは、図９に示すように構成され、これはシーケンスＳ４０６およびシーケンスＳ５０８の接続要求コマンドでも適用される。図５に示した通常モードでは、シーケンスＳ４０８において、図９に示すフィールドのうち、制御フィールドおよび情報フィールドを参照することで、コマンド内容を解析し、接続要求であることを判定する。このように、ホストモジュール６２２によるコマンド解析を行うため、ホストモジュール６２２による電力消費が発生する。
【００６４】
しかし、赤外線通信の通信距離は、一般的な利用法を考えると、２０センチ以内で行われることが多い。したがって、コマンド内容を解析しなくても、図９に示したフレームを検出した時点で、当該携帯電話機宛てに接続要求が発生したものと判定しても有効である。
【００６５】
そこで、図６に示したエコ楽モードでは、シーケンスＳ５０９において、制御チップ６１５が内蔵するＧＰＩＯにより、図９に示したフィールドのうち、先頭のBOFフィールドの“C0h”を検出した場合に、当該携帯電話機宛てに接続要求が発生したものと判定する。
【００６６】
より具体的には、制御チップ６１５が、図１０（ａ）、（ｂ）、（ｃ）に示すように、赤外線パルスに基づく信号電圧を監視し、その変化を検出して、当該携帯電話機宛てに接続要求が発生したものと判定する。
【００６７】
すなわち、赤外線パルスのエッジの立ち上がりを検出する方法や、図１０（ｂ）に示すように、赤外線パルスのエッジの立ち上がりと立ち下がりの両方を検出して、耐干渉性を高める方法、図１０（ｃ）に示すように、赤外線パルスのエッジの立ち上がりと立ち下がりの両方を複数セット検出して、そのパターン（ビット）を認識する方法などが考えられる。すなわち、SIRモード9.6kbpsのフレームフォーマットの一部を認識することで、当該携帯電話機宛てに接続要求が発生したものと判定する。
【００６８】
図１０（ａ）に示した検出方法では、制御チップ６１５が、フォトディテクタ６１１が出力する電気信号の電圧レベルを検出し、その値が予め設定した閾値未満からこの閾値以上に上昇した場合に、当該携帯電話機宛てに接続要求が発生したものと判定する。
【００６９】
また、図１０（ｂ）に示した検出方法では、制御チップ６１５が、フォトディテクタ６１１が出力する電気信号の電圧レベルを検出し、その値が予め設定した閾値未満からこの閾値以上に上昇し、さらに、その値が上記閾値未満に低下した場合に、当該携帯電話機宛てに接続要求が発生したものと判定する。
【００７０】
そしてまた、図１０（ｃ）に示した検出方法では、制御チップ６１５が、フォトディテクタ６１１が出力する電気信号の電圧レベルを検出し、その値が予め設定した閾値未満からこの閾値以上に上昇し、さらに、その値が上記閾値未満に低下することを、所定の周期で繰り返した場合に、当該携帯電話機宛てに接続要求が発生したものと判定する。
【００７１】
以上のように、上記構成の携帯電話機では、エコ楽モードの場合は、いったんユーザの指示（エコ楽モードＯＮ）があると、制御チップ６１５および電源コントローラ６２１のＧＰＩＯが動作するに過ぎない状態となり、ＩｒＤＡ信号変換部６１４やホストモジュール６２２が動作する場合に比べて、消費電力が著しく低下した状態で、対向機器ＭＳからの接続要求の発生を監視する状態になり、やがて通信が開始され、それが終了すると、再びエコ楽モードにて、新たな接続要求の発生を監視する状態となる。
【００７２】
したがって、上記構成の携帯電話機によれば、エコ楽モードをいったん設定すれば、低消費電力でありながら、赤外線通信の要求の発生を監視でき、また要求があれば赤外線通信が行えるので、赤外線通信機能による消費電力を抑制しつつも、ユーザにとって操作性が高く扱いやすい。一方、通常モードでは、通信を行うときだけ、それに関わる部位の消費電力が発生するが、通信を行う度に通常モードを起動する必要があるので、ユーザにとって利便性が低い。
【００７３】
また、エコ楽モードの場合は、いったんユーザの指示（エコ楽モードＯＮ）があると、制御チップ６１５が接続要求を検出するまで、電源コントローラ６２１は、制御チップ６１５に動作電力を供給する以外は、内蔵するＧＰＩＯだけが動作する状態になるので、電源コントローラ６２１における消費電力も抑制することができる。
【００７４】
次に、図１１を参照して、電源コントローラ６２１の赤外線入出力部制御機能について説明する。図１１に示すフローチャートは、電源コントローラ６２１が動作する間、電源コントローラ６２１によって繰り返し実行される。
【００７５】
まずステップ６ａにおいて電源コントローラ６２１は、ユーザによって設定された動作モードが、通常モードであるか否かを判定する。ここで、通常モードが設定されている場合には、ステップ６ｂに移行し、エコ楽モードが設定されている場合には、再びステップ６ａにて、動作モードの監視を継続する。
【００７６】
ステップ６ｂにおいて電源コントローラ６２１は、発電量検出部７３から通知される発電量Ｐに基づいて、太陽電池モジュール７１で発電される単位時間あたりの電力量が予め設定した閾値ｔｈ以上であるか否かを判定する。すなわち、電源コントローラ６２１は、当該携帯電話機が強い太陽光にさらされるような状況に置かれ、ユーザが意図的に充電（発電）を行おうとしているか否かを判定する。
【００７７】
ここで、発電量Ｐが閾値ｔｈ以上である場合には、ステップ６ｃに移行し、一方、発電量Ｐが閾値ｔｈ未満である場合には、ステップ６ｄに移行する。すなわち、積極的に充電を行おうとしている状況と判断できる場合には、ステップ６ｃに移行し、一方、積極的に充電を行おうとしている状況ではないと判断できる場合には、ステップ６ｄに移行する。
【００７８】
ステップ６ｃにおいて電源コントローラ６２１は、シーケンスＳ４０３，Ｓ４０４により電源がＯＮされたＩｒＤＡ信号変換部６１４とホストモジュール６２２への電力供給を停止して、両者をＯＦＦにし、ステップ６ｂに移行する。
【００７９】
一方、ステップ６ｄにおいて電源コントローラ６２１は、ＩｒＤＡ信号変換部６１４とホストモジュール６２２が共に、電源がＯＮされた状態にあるか否かを判定する。ここで、ＩｒＤＡ信号変換部６１４とホストモジュール６２２が共に、電源がＯＮされた状態にある場合には、ステップ６ｂに移行し、一方、いずれか一方でも電源がＯＮされた状態にない場合には、ステップ６ｅに移行する。  
ステップ６ｅにおいて電源コントローラ６２１は、ＩｒＤＡ信号変換部６１４とホストモジュール６２２への電力供給を行い、両者をＯＮにし、ステップ６ｂに移行する。
【００８０】
以上のように、上記構成の携帯電話機では、積極的に充電を行おうとしている状況と判断できる場合には、動作状態にあるＩｒＤＡ信号変換部６１４とホストモジュール６２２への電力供給を停止して、両者をＯＦＦにするようにしている。
【００８１】
したがって、上記構成の携帯電話機によれば、太陽光などが強く入射するような状態に放置される場合には、赤外線通信は行いものと見なして、ＩｒＤＡ信号変換部６１４とホストモジュール６２２への電力供給を停止して、節電が行えるので、赤外線通信機能による消費電力を抑制しつつも、ユーザは節電のための特別な操作を必要としないので、ユーザにとって操作性が高く扱いやすい。
【００８２】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００８３】
例えば、上記実施の形態では、エコ楽モードの場合は、いったんユーザの指示（エコ楽モードＯＮ）があると、制御チップ６１５が接続要求を検出するまで、ＩｒＤＡ信号変換部６１４とホストモジュール６２２の両方に電力供給を行わないようにしたが、いずれか一方への電力供給を行わないようにしてもよい。このような構成でも、電力供給が行われなかったモジュールの消費電力分だけ、低消費電力化が可能となる。
【００８４】
また例えば、上記実施の形態では、切替スイッチ６１３を設けて、エコ楽モードにおいてフォトディテクタ６１１を、対向機器ＭＳからの接続要求の検出用と、通信時の赤外線信号の受光用に兼用するようにしている。これに代わって例えば、エコ楽モードにおける対向機器ＭＳからの接続要求の検出用のフォトディテクタと、通信時の赤外線信号の受光用のフォトディテクタをそれぞれ設けるようにしてもよい。この場合、切替スイッチ６１３が不要になる。
【００８５】
また言い換えれば、切替スイッチ６１３を上記実施の形態のように設けることで、１つのフォトディテクタ６１１を、対向機器ＭＳからの接続要求の検出用と、通信時の赤外線信号の受光用に兼用することができる。
【００８６】
そしてまた、上記実施の形態では、制御チップ６１５は、赤外線入出力部６１０に設けるようにしたが、制御部６２０に設けるようにしてもよい。また制御チップ６１５の機能をホストモジュール６２２が備えるようにしてもよい。このような構成では、エコ楽モードの場合に、ホストモジュール６２２は、接続要求の監視を行う制御チップ６１５の機能に相当する部分だけを起動し、その他の機能はＯＦＦにしておく（シーケンスＳ５０３と同様）のはいうまでもない。
【００８７】
また上記実施の形態では、赤外線信号を用いる場合を例に挙げて説明したが、他の無線信号を用いる場合にも適用できる。例えばBluetooth（登録商標）などの近距離無線通信にも適用できる。
【００８８】
さらにまた、上記実施の形態では、電源コントローラ６２１は、動作電力を供給する場合を動作ＯＮ、動作電力を供給しない場合を動作ＯＦＦとして説明したが、動作電力は常に各部に供給し、電源コントローラ６２１が各部の動作を図５及び図６に示す処理と同様にＯＮ／ＯＦＦする構成でも、同様の効果が得られる。
【００８９】
上記実施の形態では、通常モードで動作する場合に、ＩｒＤＡ信号変換部６１４とホストモジュール６２２への電力供給を抑制することで節電を行うものとして説明したが、これに限定されるものではなく、エコ楽モードにおいて、ＩｒＤＡ信号変換部６１４やホストモジュール６２２が動作する場合においても、適用することが可能である。
【００９０】
また発電を行うか否かは、太陽光発電部７０が発電した発電量Ｐで判定するようにしたがこれに限定されるものではない。例えば、操作部４０を通じて、ユーザが発電を行う指示を行い、太陽光発電部７０による発電が開始されると、ＩｒＤＡ信号変換部６１４とホストモジュール６２２への電力供給を抑制することで節電を行うようにしてもよい。  
その他、この発明の要旨を逸脱しない範囲で種々の変形を施しても同様に実施可能であることはいうまでもない。
【符号の説明】
【００９１】
１０…無線通信部、２０…表示部、３０…通話部、３１…スピーカ、３２…マイクロホン、４０…操作部、５０…記憶部、６０…赤外線通信部、１００…主制御部、６１０…赤外線入出力部、６１１…フォトディテクタ（ＰＤ（Ｒｘ））、６１２…フォトディテクタ（ＰＤ（Ｔｘ））、６１３…切替スイッチ（ＳＷ）、６１４…ＩｒＤＡ信号変換部、６１５…制御チップ、６２０…制御部、６２１…電源コントローラ、６２２…ホストモジュール（ＨＯＳＴ）、７１…太陽電池モジュール、７２…充電回路、７３…発電量検出部、ＢＳ…基地局装置、ＭＳ…対向機器、ＮＷ…移動通信網。
【図１】
2011217341.tif 000003
【図２】
2011217341.tif 000004
【図３】
2011217341.tif 000005
【図４】
2011217341.tif 000006
【図５】
2011217341.tif 000007
【図６】
2011217341.tif 000008
【図７】
2011217341.tif 000009
【図８】
2011217341.tif 000010
【図９】
2011217341.tif 000011
【図１０】
2011217341.tif 000012
【図１１】
2011217341.tif 000013
【手続補正書】
【提出日】平成23年4月25日(2011.4.25)
【手続補正１】
【補正対象書類名】特許請求の範囲
【補正対象項目名】全文
【補正方法】変更
【補正の内容】
【特許請求の範囲】
【請求項１】
無線信号を電気信号に変換する信号受信手段と、
この信号受信手段が出力する信号から情報を取得する情報取得手段と、
前記信号受信手段が出力する電気信号の電圧レベルが予め設定した閾値以上に変化した場合に、前記情報取得手段の動作をオンにする動作制御手段とを具備したことを特徴とする近距離無線通信装置。
【請求項２】
無線信号を電気信号に変換する信号受信手段と、
この信号受信手段が出力する信号から情報を取得する情報取得手段と、
前記信号受信手段が出力する電気信号の電圧レベルが予め設定した閾値以上に変化し、さらに、閾値未満に変化した場合に、前記情報取得手段の動作をオンにする動作制御手段とを具備したことを特徴とする近距離無線通信装置。
【請求項３】
無線信号を電気信号に変換する信号受信手段と、
この信号受信手段が出力する信号から情報を取得する情報取得手段と、
前記信号受信手段が出力する電気信号の電圧レベルが予め設定した閾値以上に変化し、さらに閾値未満に変化することを繰り返した場合に、前記情報取得手段の動作をオンにする動作制御手段とを具備したことを特徴とする近距離無線通信装置。
【請求項４】
前記動作制御手段は、
前記信号受信手段が出力する電気信号の電圧レベルを検出する電圧検出手段と、
この電圧検出手段の検出結果に応じて、前記情報取得手段の動作をオンにする制御手段とを備えることを特徴とする請求項１乃至請求項３のいずれかに記載の近距離無線通信装置。
【請求項５】
前記制御手段は、前記情報取得手段の動作をオンにする場合に、前記電圧検出手段の動作をオフにすることを特徴とする請求項４に記載の近距離無線通信装置。
【請求項６】
前記制御手段は、
前記情報取得手段の動作をオンにするオン手段と、
前記監視手段の検出結果に応じて、前記オン手段を動作させるオン制御手段とを備えることを特徴とする請求項４に記載の近距離無線通信装置。
【請求項７】
前記電圧検出手段は、前記信号受信手段が出力する電気信号の電圧レベルに応じて、前記信号受信手段が出力する電気信号を前記情報取得手段に入力することを特徴とする請求項４に記載の近距離無線通信装置。
【請求項８】
前記信号受信手段は、赤外線信号を電気信号に変換するものであって、
さらに、
光エネルギーを電気エネルギーに変換する発電手段を備え、
前記動作電力供給手段は、前記発電手段で発電を行う場合に、前記情報取得手段の動作をオフにすることを特徴とする請求項１乃至請求項７のいずれかに記載の近距離無線通信装置。
【請求項９】
前記信号受信手段は、赤外線信号を電気信号に変換するものであって、
さらに、
光エネルギーを電気エネルギーに変換する発電手段と、
前記発電手段が発電する電力レベルを検出する発電レベル検出手段とを備え、
前記動作電力供給手段は、前記発電レベル検出手段が検出した電力レベルが予め設定した閾値以上の場合に、前記情報取得手段の動作をオフにすることを特徴とする請求項１乃至請求項７のいずれかに記載の近距離無線通信装置。
【請求項１０】
無線信号を電気信号に変換する信号受信手段と、
この信号受信手段が出力する信号から情報を取得する情報取得手段と、
前記信号受信手段が出力する電気信号に応じて、前記情報取得手段の動作をオンにする動作制御手段とを具備したことを特徴とする近距離無線通信装置。
【請求項１１】
前記動作制御手段は、
前記信号受信手段が出力する電気信号を監視する監視手段と、
この監視手段の監視結果に応じて、前記情報取得手段の動作をオンにする制御手段とを備えることを特徴とする請求項１０に記載の近距離無線通信装置。
【請求項１２】
前記制御手段は、前記情報取得手段の動作をオンにする場合に、前記監視手段の動作をオフにすることを特徴とする請求項１１に記載の近距離無線通信装置。
【請求項１３】
前記制御手段は、
前記情報取得手段の動作をオンにするオン手段と、
前記監視手段の監視結果に応じて、前記オン手段を動作させるオン制御手段とを備えることを特徴とする請求項１１に記載の近距離無線通信装置。
【請求項１４】
前記監視手段は、前記信号受信手段が出力する電気信号の監視結果に応じて、前記信号受信手段が出力する電気信号を前記情報取得手段に入力することを特徴とする請求項１１に記載の近距離無線通信装置。
【手続補正２】
【補正対象書類名】明細書
【補正対象項目名】０００９
【補正方法】変更
【補正の内容】
【０００９】
上記の目的を達成するために、この発明は、無線信号を電気信号に変換する信号受信手段と、この信号受信手段が出力する信号から情報を取得する情報取得手段と、前記信号受信手段が出力する電気信号の電圧レベルが予め設定した閾値以上に変化した場合に、前記情報取得手段の動作をオンにする動作制御手段とを具備して構成するようにした。